(57)【特許請求の範囲】
【請求項１】
導電性の構造体を備えたポリマパネル（Ｉ）であって、
ポリマ基板（１）であって、該ポリマ基板（１）の表面（１２）上に少なくとも１つの導体路（２）を備えたポリマ基板（１）と、
導電性かつ弾性的な少なくとも１つのコンタクトレール（３）であって、前記ポリマ基板（１）と前記コンタクトレール（３）との間に配置された前記導体路（２）の部分領域に電気的に接続されているコンタクトレール（３）と、
前記コンタクトレール（３）を前記ポリマ基板（１）の前記表面（１２）にクランプ固定する少なくとも１つの取付けエレメント（４）と、を有する導電性の構造体を備えたポリマパネル（Ｉ）において、
前記取付けエレメント（４）は前記ポリマ基板（１）と一体に形成されており、
前記導体路（２）は、ワイヤから成る熱導体及び／又はワイヤから成るアンテナ導体として使用されるものであり、該導体路の連続的に延在する部分において、該導体路（２）と前記コンタクトレール（３）とを導電的に直接接続する電気的なコンタクト面を有しており、該電気的なコンタクト面は、前記ポリマ基板（１）の前記表面（１２）とは反対の側であることを特徴とする、導電性の構造体を備えたポリマパネル（Ｉ）。
【請求項２】
前記取付けエレメント（４）はそれぞれ、前記コンタクトレール（３）に隣接するフックとして形成されている、請求項１記載のパネル。
【請求項３】
前記取付けエレメント（４）はそれぞれ、前記コンタクトレール（３）に設けられた孔を貫通して案内されるピンとして形成されており、該ピンの上には位置固定部材（８）が取り付けられる、請求項１記載のパネル。
【請求項４】
前記コンタクトレール（３）は少なくとも１種の特殊鋼、及び／又はステンレス鋼、及び／又はばね鋼を含有しており、０．５〜５ｍｍの厚さを有している、請求項１から３までのいずれか１項記載のパネル。
【請求項５】
前記コンタクトレール（３）には、少なくともニッケル及び／又はスズ及び／又は銅及び／又は銀を含有するコーティング（１０）が設けられており、該コーティング（１０）は０．１〜２０μｍの層厚さを有している、請求項１から４までのいずれか１項記載のパネル。
【請求項６】
前記コンタクトレール（３）の領域の前記基板（１）の表面と前記導体路（２）との間にバスバー（６）が配置されていて、該バスバー（６）は少なくともタングステン及び／又は銅及び／又はニッケル及び／又はマンガン及び／又はアルミニウム及び／又は銀及び／又はクロム及び／又は鉄及び／又はスズ及び／又はこれらの合金を含有し、該バスバー（６）は１０〜２００μｍの厚さを有している、請求項１から５までのいずれか１項記載のパネル。
【請求項７】
前記コンタクトレール（３）は、外部の電気系統に接続するための接続領域（５）を有しており、該接続領域は規格化されたフラット差込コネクタとして形成されている、請求項１から６までのいずれか１項記載のパネル。
【請求項８】
前記コンタクトレール（３）の、前記基板（１）に面した表面には少なくとも１つの隆起部が設けられており、該隆起部は、前記コンタクトレール（３）の長さに沿って延在している、請求項１から７までのいずれか１項記載のパネル。
【請求項９】
前記導体路（２）の少なくとも１つの区分は前記ポリマ基板（１）内に、所定の深さで埋め込まれており、前記深さは前記導体路（２）の厚さの５０〜９０％である、請求項１から８までのいずれか１項記載のパネル。
【請求項１０】
前記ポリマ基板（１）は少なくともポリカーボネート及び／又はポリエチレンテレフタレート及び／又はポリメチルメタクリレートを含有しており、１〜１０ｍｍの厚さを有している、請求項１から９までのいずれか１項記載のパネル。
【請求項１１】
前記導体路（２）は少なくともタングステン及び／又は銅及び／又はニッケル及び／又はマンガン及び／又はアルミニウム及び／又は銀及び／又はクロム及び／又は鉄及び／又はこれらの合金を含有しており、前記導体路（２）は１０〜３００μｍの厚さを有している、請求項１から１０までのいずれか１項記載のパネル。
【請求項１２】
導電性の構造体を備えたポリマパネル（Ｉ）を製造する方法であって、少なくとも、
ａ）ポリマ基板（１）であって、該ポリマ基板（１）の表面（１２）に、前記ポリマ基板（１）に一体に形成された少なくとも１つの取付けエレメント（４）を備えたポリマ基板（１）を準備し、
ｂ）前記ポリマ基板（１）の前記表面（１２）にワイヤから成る熱導体及び／又はワイヤから成るアンテナ導体として使用される少なくとも１つの導体路（２）を設け、
ｃ）該導体路（２）の領域に少なくとも１つの導電性かつ弾性的なコンタクトレール（３）を、前記取付けエレメント（４）によって前記ポリマ基板（１）の前記表面（１２）にクランプ固定し、前記コンタクトレール（３）を、前記少なくとも１つの導体路（２）の連続的に延在する部分の、前記ポリマ基板（１）の前記表面（１２）とは反対の側の電気的なコンタクト面に対して押し付けて、前記コンタクトレール（３）と前記導体路（２）とを導電的に直接接続する、
工程を含む、導電性の構造体を備えたポリマパネル（Ｉ）を製造する方法。
【請求項１３】
前記導体路（２）を超音波埋設により前記ポリマ基板（１）の表面（１２）に取り付ける、請求項１２記載の方法。
【請求項１４】
陸上交通、航空交通、水上交通のための移動手段において、自動車及びレール車両のリアウィンドウ及び／又はフロントウィンドウ及び／又はサイドウィンドウ及び／又はルーフウィンドウ及び／又はライトカバー及び／又はスポイラとして用いる、請求項１から１１までのいずれか１項記載の、導電性の構造体を備えたポリマパネルの使用。
【発明の詳細な説明】
【技術分野】
【０００１】
本発明は、導電性の構造体を備えたポリマパネル、並びに該ポリマパネルの製造方法、並びに該ポリマパネルの使用に関する。
【０００２】
自動車の窓用パネルには、例えば加熱機能やアンテナ機能を果たす導電性の構造体がしばしば設けられている。窓用パネルがガラスから成っている場合、このような導電性の構造体は加熱導体又はアンテナ導体として、例えば銀を含有するペーストの形でガラス表面にプリントされ、部分的に焼き付けられる。同様にプリントされたバスバーと、その上にはんだ付けされた、搭載電源に接続するための接続エレメントにより、導体の安定した電気的なコンタクトが得られる。
【０００３】
車両重量を減じるために、自動車の構造では、樹脂グレージングの使用が増加しており、例えばリアウィンドウパネル、サイドウィンドウパネル、ルーフウィンドウパネルとして使用されている。このようなパネル（樹脂グレージング）でも加熱機能又はアンテナ機能は所望され得る。例えば米国特許第５５２５４０１号明細書において、樹脂パネル用のプリントされた導電性の構造体が提案されている。しかしながら、効果的な加熱のために必要であるような良好な導電性を備えた、工業生産においてプラスチック表面にプリント可能なスクリーン印刷ペーストは提供されていない。
【０００４】
樹脂パネル用の導電性の構造体は、細いワイヤとして形成することができる。ワイヤ及び場合によってはバスバーは、薄いプラスチックフィルムに付与され、次いでこれはパネル体に結合される。このためにプラスチックフィルムは予め製造されたパネル体に接着される、又は射出成形型に挿入され、フィルムインサート成形によりパネル体に結合される。このような手段は例えば独国特許出願公開第３５０６０１１号明細書、欧州特許第７８５７号明細書、独国特許出願公開第１０１４７５３７号明細書により公知である。ワイヤは、プラスチックフィルムとパネル体との間に確実に位置固定され、損傷から保護される。しかしながらワイヤと場合によってはバスバーとは、外部からアクセスできないので、簡単に搭載電源に接続することはできない。ワイヤ又はバスバーの端部、又はワイヤに接続された差し込みコネクタはパネル縁部から外部に案内され、ここで電気的にコンタクトさせることができる。しかしながら典型的にはパネルは組み込み位置で、縁部に沿ってフレームによって取り囲まれているので、電気的なコンタクトは困難であり、損傷し易い。
【０００５】
独国特許出願公開第１９９２７９９９号明細書により、導電体が設けられた樹脂フィルムのフィルムインサート成形によって製造された窓用樹脂パネルが開示されている。電気的なコンタクトのためにフィルムに開口が設けられている。開口の領域には、フィルムとパネル体との間で位置固定されて、導体にコンタクトしている金属箔又は金属板が配置されている。この開口を介して金属箔は、固定ピンによってパネル体の表面に取り付けられる、又は爪によってパネル体上の接続エレメントの下面に取り付けられる端子にコンタクトされる。しかしながら導電体と接続エレメントとの間の接続部として金属箔を設けることにより、パネルの製造は複雑になり、誤りやすいものとなる。フィルムインサート成形によりパネルに金属箔が設けられるので、電気的コンタクトの方法は、独国特許出願公開第１９９２７９９９号明細書の技術により製造されたパネルに限られる。
【０００６】
例えば米国特許出願公開第２００６／０２３２９７２号明細書により公知であるように、ワイヤを樹脂パネルの表面に直接取り付けることもできる。この場合、加熱ワイヤは熱的に樹脂体の表面に埋め込まれる。加熱ワイヤの各端部は、プラスチック体上に取り付けられている電気的な接続端子に溶接される。電気的コンタクトは損傷し易い。両接続端子間の導電的な接続が加熱ワイヤの破損により遮断されると、加熱機能は全体的に故障する。接続端子をパネル体にどのように確実に取り付けることができるのかは、米国特許出願公開第２００６／０２３２９７２号明細書には記載されていない。
【０００７】
本発明の課題は、導電性の構造体を簡単かつ確実に電気的にコンタクトさせることができる、導電性の構造体を備えたポリマパネル並びに該ポリマパネルの製造法を提供することである。
【０００８】
この課題は本発明によれば、独立請求項１に記載の導電性の構造体を備えたポリマパネルにより解決される。好ましい構成は従属請求項に記載されている。
【０００９】
本発明による導電性の構造体を備えたポリマパネルは少なくとも以下の特徴、即ち、
ポリマ基板であって、該ポリマ基板の表面上に少なくとも１つの導体路を備えたポリマ基板と、
導電性かつ弾性的な少なくとも１つのコンタクトレールであって、前記ポリマ基板と前記コンタクトレールとの間に配置された前記導体路の部分領域に電気的に接続されているコンタクトレールと、
前記コンタクトレールを前記ポリマ基板の表面にクランプ固定する少なくとも１つの取付けエレメントと、を備えていて、
前記取付けエレメントは前記ポリマ基板と一体に形成されている。
【００１０】
ポリマ基板の表面は、本発明による１つ又は複数の取付けエレメントが、ポリマ基板の一部として提供されるように形成されている。即ち、取付けエレメントは本発明によれば、ポリマ基板と一体に形成されている。取付けエレメントは、例えば接着又はねじ固定によって基板に結合しなければならない基板とは別体の部材ではない。
【００１１】
ポリマ基板は好適には射出成形により提供される。この場合、射出成形型は、内室に面した表面に凹部を有している。ポリマ基板を製造するために、溶融されたポリマ材料が射出成形型の内室に射出される。ポリマ材料の硬化後、ポリマ基板を射出成形型から取り出すことができる。射出成形型に凹部を設けたことにより、ポリマ基板の表面には、本発明により、コンタクトレールの取付けエレメントとして使用することができる構造が配置されている。
【００１２】
選択的には例えば、第１の射出成形ステップで平滑な表面を有したポリマ基板を形成し、次いで第２の射出成形ステップで、この平滑な表面に取付けエレメントを射出成形により取り付けることもできる。
【００１３】
本発明によればコンタクトレールは弾性的である。これは、コンタクトレールが形状安定的であって、変形後は、弾性限界以下であれば、例えば軽い湾曲以下であれば、力作用をなくした場合にもとの形に戻ることを意味している。
【００１４】
本発明によればコンタクトレールは導電性である。従って、外部の電気系統、例えば電源への導体路の電気接続はコンタクトレールを介して行うことができる。導体路は、コンタクトレールと基板の表面との間に配置されていて、コンタクトレールに導電的にコンタクトしている部分領域を有している。導体路は少なくとも、ポリマ基板とは反対の面でコンタクトレールに接続されている。即ち、導体路とコンタクトレールとの間の導電的な接続を提供する、導体路の電気的なコンタクト面は、基板の表面とは反対の側である。これにより好ましくは、基板の表面に上方からクランプ固定されるコンタクトレールによって、導体路の電気的なコンタクトが簡単に得られる。
【００１５】
基板の表面にクランプ固定されるコンタクトレールの弾性により、導体路に対する押圧力は維持され、このような押圧力により、コンタクトレールと導体路との間の持続的に安定的な電気的接続が保証される。この接続は、例えば導電性の接着剤により導体路を電気的にコンタクトさせた場合よりも著しく安定している。これは本発明の大きな利点である。既に基板上に存在している、基板に一体に形成された取付けエレメントによってコンタクトレールのクランプ固定を行うので、例えば穿孔又ははんだ付けといった、基板を損傷する恐れのある別の加工ステップは不要である。コンタクトレールは極めて簡単に、基板の表面に持続的に安定して結合させることができる。これは本発明のさらなる大きな利点である。
【００１６】
コンタクトレールは、導体路にコンタクトするために、かつポリマ基板の表面にクランプ固定させるために設けられた少なくとも１つの領域を有している。この領域は好適には長方形の底面を有している。しかしながらこの領域は、別の形状の底面を有していても良く、例えば曲げられた四角形、楕円形、長円形、円セグメントの形状を有していても良い。コンタクトレールのクランプ固定のために設けられた領域の厚さは、好適には０．５〜５ｍｍ、特に好適には１〜３ｍｍである。この厚さは、コンタクトレールの安定性と弾性的な変形可能性という観点で特に好ましい。コンタクトレールの幅は、好適には３〜５０ｍｍ、特に好適には５〜２０ｍｍである。この幅は、コンタクトレールと基板の表面との間の安定的な結合及び導体路の安定的な電気的コンタクトという観点で特に好ましい。本発明では、この幅は、導体路が延在するコンタクトレールの寸法となっている。導体路は好適には、コンタクトレールの長さ全体にわたって延在しており、若しくは、コンタクトレールのクランプ固定のために設けられた領域の長さ全体にわたって延在している。これは、導体路は、基板とコンタクトレールとの間の領域では中断部を有していないことを意味している。これは、本発明によるパネルの簡単な製造及び導体路の安定的なコンタクトという観点で特に好ましい。
【００１７】
コンタクトレールの長さは様々に変更可能であり、特に個別のケースにおける必要に応じて変更することができる。平行に延在する複数の導体路がコンタクトレールにコンタクトされる場合、コンタクトレールの最小の長さは、導体路の数と、互いに隣接する導体路の間の間隔とによって決まる。コンタクトレールの長さは例えば５〜５０ｃｍである。コンタクトレールは組み込み位置では好適には基板の表面に平行に配置されている。本発明による取付けエレメントの形式に応じて、コンタクトレールは、孔、切欠、又はその他の形状的特徴を有していて良い。
【００１８】
本発明の特別な利点は、好適には互いに平行に延在する複数の導体路を、１つのコンタクトレールによって簡単かつ迅速に一緒に電気的にコンタクトさせることができることにある。従って、平行な複数の導体路を互いに接続する別の導電的なエレメントを設ける必要はない。
【００１９】
コンタクトレールは好適には、タングステン及び／又は銅及び／又はニッケル及び／又はマンガン及び／又はアルミニウム及び／又は銀及び／又はクロム及び／又はコバルト及び／又は鉄及び／又はこれらの混合物及び／又は合金を含有している。
【００２０】
コンタクトレールは特に好適には金属又は合金を含んでおり、これによりコンタクトレールの弾性が保証される。コンタクトレールは好適には少なくとも１種の特殊鋼、クロム含有のステンレス（rust-free）鋼、又はばね鋼を含んでいる。
【００２１】
コンタクトレールには、例えばエンボス加工又はフライス加工により所定のプロフィールを設けることもできる。これによりコンタクトレールの、基板に面した表面は扁平ではなく、１つ又は複数の隆起部を有している。この隆起部は例えば、基板の表面に対して垂直方向にコンタクトレールの幅を断面する横断面で、円セグメントのプロフィール又は楕円セグメントのプロフィールを有している。隆起部は好適にはコンタクトレールの長さに沿って延在している。導体路は、コンタクトレールの幅全体に沿ってコンタクトレールに接触しているのではなく、隆起部の領域でのみ接触する。これにより、クランプ固定されるコンタクトレールによって導体路に加えられる圧力は高くなり、電気的コンタクトの安定性は好適には向上する。好適には、局所的に規定された、再現可能なコンタクト領域が、コンタクトレールの表面の内側で得られる。さらにコンタクトレールはこの場合、それ自体はコンタクトレールの本発明による弾性を保証しない材料を含有することができる。何故ならば、このようなプロフィールを設けることにより、コンタクトレールの補強が得られるからである。この場合、例えばコンタクトレールは銅を含むことができる。
【００２２】
コンタクトレールは好適には、ニッケル及び／又はスズ及び／又は銅及び／又は銀によってコーティングされている。コーティング厚さは、０．１〜２０μｍ、特に好適には６〜１２μｍである。このコーティングの特別な利点は、コンタクトレールの電流負荷容量及び耐食性の向上にある。
【００２３】
コンタクトレールには、基板の表面へのクランプ固定前に所定の予荷重を加えることができる。例えばコンタクトレールをその長さに沿って曲げることができる。コンタクトレールは好適には、その端部が、基板への結合の際に基板から離れるように曲げられる。この予荷重により、コンタクトレールの押圧力は高められ、電気的なコンタクトの安定性は好適には向上される。
【００２４】
コンタクトレールを介して導体路は、パネルの外側に配置されている外部の電機系統に接続される。電気系統とは例えば、増幅器、制御ユニット、又は電源である。外部の電気系統に続くケーブルは例えば、コンタクトレールの、ポリマ基板の表面にクランプ固定するために設けられた領域の、基板とは反対側の表面に、例えばはんだ付け、溶接、接着、圧着、又はクランプにより接続される。
【００２５】
本発明の好適な構成では、コンタクトレールは、外部の電気系統に接続するために設けられた領域を有しており、この領域は、ポリマ基板の表面にクランプ固定するために設けられた領域に位置している。この領域は本発明では接続領域と記載している。接続領域は、好適には、クランプ固定するために設けられた領域の側縁に位置していて、クランプ固定するために設けられた領域の側縁に位置していて、クランプ固定するために設けられた領域の、基板とは反対側の表面上には位置していない。この構成は、コンタクトレールの簡単な製造という観点で特に好ましい。接続領域は特に好適には、規格化されたフラット差込コネクタとして形成されており、該接続領域には、外部の電気系統に通じる接続ケーブルのカップリングを差し込むことができる。これによりコンタクトレールは、外部の電気系統へのインターフェースを提供する。本発明によるパネルを外部の電気系統に簡単かつ迅速に接続するという特別な利点がある。例えば、接続エレメントへのコンタクトレールのはんだ付け又は溶接といった付加的な作業工程は不要である。しかしながら接続領域は例えば孔を有していても良く、この孔に外部の電気系統に通じるケーブルをねじ固定しても良い。外部の電気系統に通じるケーブルは選択的には接続領域にはんだ付け、溶接、圧着、又は接着することもできる。
【００２６】
本発明によればポリマ基板は、表面に、この基板に一体に形成された少なくとも１つの取付けエレメントを有している。この場合、表面とは、この取付けエレメントから離れた好適には平滑な面を意味する。取付けエレメントは、それ自体で、又は別のエレメントと結合させて、コンタクトレールを基板の表面にクランプ固定するために適している。取付けエレメントによって、持続的に安定した基板とコンタクトレールとの結合が得られる。これにより、コンタクトレールと、コンタクトレールと基板との間に配置された導体路の部分領域とを持続的に安定して電気的に接続させることもできる。
【００２７】
好適な構成では、取付けエレメントはフックの形式で形成されている。このようなフックは好適には、基板の表面に接続される、基板の表面に対して垂直又はほぼ垂直に配置された第１の部分領域を有している。フックの第１の部分領域には第２の部分領域が続いており、第２の部分領域は、コンタクトレールの方向で延在しており、少なくとも部分的に、コンタクトレールの、基板とは反対の側に配置されている。この第２の部分領域を介して押圧力がコンタクトレールに加えられ、好適には、コンタクトレールの、基板とは反対側の表面に加えられる。両フックが、コンタクトレールの互いに向かい合って位置する縁部に傾けられて配置されているならば、原則的にはコンタクトレールを、このような２つのフックによって、基板の表面にクランプ固定することができる。好適には複数のフックがコンタクトレールを取り囲んで配置されている。コンタクトレールの縁部に沿って互いに隣接して位置する２つのフックの間隔は、好適には１〜１０ｃｍである。この構成は、基板とコンタクトレールとの間の安定的なクランプ結合という観点で特に好ましい。フックの第１の部分領域は、好適にはコンタクトレールの縁部に隣接している。これにより基板の表面に対して平行な方向でのコンタクトレールの滑脱は阻止される。フックの形状及び寸法は本発明によれば、コンタクトレールが安定的に基板の表面にクランプ固定されて、基板の表面に対して垂直方向で運動自由度を有していないように選択される。フックの寸法は個別には特に、コンタクトレールの厚さに応じたものである。コンタクトレールの縁部に沿ったフックの幅は、好適には１〜１０ｍｍである。コンタクトレールは好適にはクランプ固定のために、フック状の複数の取付けエレメントの間で、基板の表面に向かって押されており、これにより典型的には、取付けエレメントを一時的に曲げることになる。取付けエレメントの寸法、特に、取付けエレメントの材料の厚さ、フックの第２の部分領域の形状及び大きさは、このような可逆的な曲げが、取付けエレメントの損傷なく行えるように選択される。
【００２８】
選択的な有利な構成では、取付けエレメントは、基板の表面に対して垂直又はほぼ垂直に配置されているピンとして形成されている。このピンは例えば、三角形、長方形、楕円形又は多角形、好適には円形の、基板の表面に対して平行な横断面を有している。基板の表面に対して平行な方向のピンの長さ及び幅は好適には２〜１０ｍｍである。この構成は、コンタクトレールと基板との間の安定的な結合という観点で特に好ましい。コンタクトレールは、取付けエレメントを貫通案内させる１つ又は複数の孔を有している。コンタクトレールに設ける孔の数、相対的な配置、形状、大きさはこのために適当に選択されている。各取付けエレメントの高さは、取付けエレメントがコンタクトレールを越えて突出するように適当に選択されている。基板の表面にコンタクトレールを押し付けた後は、コンタクトレールは、少なくとも１つの取付けエレメントによって持続的に安定的に基板の表面にクランプ固定される。このために各取付けエレメントの、基板とは反対側の先端部を、加熱して、適当に変形させることができ、これによりコンタクトレールは、基板の表面に対して垂直方向で運動自由度を有さない。好適には各取付けエレメントには、位置固定部材が取り付けられ、好適には被せ嵌められ、この位置固定部材を介してコンタクトレールに押圧力が加えられる。位置固定部材は好適には少なくとも１種の金属又は合金、例えば鋼を含んでいるが、ポリマも含んでいて良い。適当な位置固定部材は、例えばスターロック（Starlock(R)）保持リングである。しかしながら、組み込み位置で取付けエレメントから外れない別の構成の位置固定部材を使用することもできる。
【００２９】
原則的にはコンタクトレールを、１つの取付けエレメントと、これに被せ嵌められた位置固定部材とによって、基板の表面にクランプ固定することができる。例えば扁平に形成されたコンタクトレールを１つの取付けエレメントによって湾曲されたポリマ基板にクランプ固定することができる。弾性的なコンタクトレールは、湾曲された基板にクランプ固定することにより曲げられる。コンタクトレールの弾性により、ポリマ基板へのコンタクトレールの押圧力が得られる。これにより導体路の持続的に安定した電気的コンタクトが得られる。
【００３０】
好適にはコンタクトレールは、少なくとも２つの取付けエレメントと、これに被せ嵌められた位置固定部材とによって基板の表面にクランプ固定されている。これにより導体路の電気的コンタクトの安定性が好適には向上する。特に好適には複数の取付けエレメントがコンタクトレールの長さに沿って配置されている。複数列の取付けエレメントがコンタクトレールの長さに沿って配置されていても良い。互いに隣接する２つの取付けエレメントの間の間隔は好適には１〜１５ｃｍ、例えば１０ｃｍである。この構成は、基板とコンタクトレールとの間の安定的なクランプ結合という観点で特に好ましい。
【００３１】
外部の電気系統と導体路との間の電気的接続は本発明によれば、導電的なコンタクトレールを介して行われる。好適な構成では、基板の表面と導体路との間のコンタクトレールの領域に、かつ／又はコンタクトレールと導体路との間に、付加的なバスバーが配置されている。１つ又は複数のバスバーの特別な利点は、特に複数の導体路がコンタクトレールに電気的に接続されている場合に、電気的コンタクトが改善されることにある。
【００３２】
バスバーは好適には、タングステン及び／又は銅及び／又はニッケル及び／又はマンガン及び／又はアルミニウム及び／又は銀及び／又はクロム及び／又はスズ及び／又は鉄、並びにこれらの混合物及び／又は合金、特に好適にはタングステン及び／又は銅を含有している。バスバーは好適には、１０〜２００μｍの、特に好適には５０〜１００μｍの厚さを有している。導体路に結合しているバスバーの幅は、好適には２〜１００ｍｍ、特に好適には５〜２０ｍｍである。バスバーの長さは様々に変更可能であり、特に個別のケースにおける必要に応じて変更することができる。平行に延在する複数の導体路がコンタクトされる場合、バスバーの最小の長さは、導体路の数と、互いに隣接する導体路の間の間隔とによって決まる。バスバーの長さは例えば５〜５０ｃｍである。
【００３３】
バスバーは好適には、ニッケル及び／又はスズ及び／又は銅及び／又は銀によってコーティングされている。コーティングの層厚さは、０．１〜２０μｍの、特に好適には６〜１２μｍである。このコーティングの特別な利点は、バスバーの電流負荷容量及び耐食性が向上することにある。
【００３４】
基板の表面と導体路との間のバスバーはコンタクトレールの領域で、特に両面接着テープによって、又は接着剤によって基板上に固定される。これにより有利には、バスバー、導体路、コンタクトレールの電気的接続は容易になり、バスバーは持続的に基板の表面に位置固定される。
【００３５】
基板の表面と導体路との間のコンタクトレールの領域に、かつ、コンタクトレールと導体路との間に、それぞれ１つのバスバーが配置されているならば、両バスバーをはんだコンパウンドによって互いに接続させることができる。これにより導体路は、はんだコンパウンド内に埋め込まれ、このことは、導体路自体がはんだ付け不可能な場合であっても改善された安定した電気的コンタクトを可能にする。この場合、好適には無鉛はんだコンパウンドが使用される。何故ならば、ＥＶＬ指令（Directive on End-of-Live Vehicles 2000/53/EC）に基づき、ＥＣ内では、鉛含有はんだは無鉛はんだに交換しなければならないからである。はんだコンパウンドは好適には、スズ、ビスマス、インジウム、亜鉛、銅、銀、又はこれらの合成物を含んでいる。はんだ組成におけるスズの割合は、３〜９９．５重量％、好適には１０〜９９．５重量％、特に好適には１５〜６０重量％である。はんだの組成におけるビスマス、インジウム、亜鉛、銅、銀又はこれらの合成物の割合は、０．５〜９７重量％、好適には１０〜６７重量％であり、この場合、ビスマス、インジウム、亜鉛、銅、銀の各割合は０重量％であっても良い。はんだ組成は、０〜５重量％の割合のニッケル、ゲルマニウム、アルミニウム又はリンを含むことができる。はんだ組成は特に好適には、Bi40Sn57Ag3、Sn40Bi57Ag3、Bi59Sn40Ag1、Bi57Sn42Ag1、In97Ag3、Sn95.5Ag3.8Cu0.7、Bi67In33、Bi33In50Sn17、Sn77.2In20Ag2.8、Sn95Ag4Cu1、Sn99Cu1、Sn96.5Ag3.5、又はこれらの混合物を含む。
【００３６】
導体路は好適な構成では超音波埋設によりポリマ基板に取り付けられる。この場合、超音波発振器（sonotrode）は好適には多軸ロボット及び力制御されるツールバランサによってポリマ基板の内面上をガイドされる。力制御されるツールバランサによって、発振器の位置を、ポリマ基板の３次元的な形状に合わせることができる。発振器は、超音波発生器により発生させられ高周波数の機械的な振動（超音波）をポリマ基板に伝える。この場合熱が生じ、ポリマ基板の内面の表面層は溶融される。導体路は、溶融された表面層に設けられる。このために発振器はワイヤをその先端でガイドしており、このワイヤはワイヤローラを介して、発振器の近傍で継続的に供給される。発振器として適したツールは例えば米国特許第６０２３８３７号明細書により公知である。
【００３７】
ポリマ基板への導体路の進入深さは、好適には導体路の太さの５０〜９０％、特に好適には６０〜７５％である。超音波埋設による導体路の複雑でない取り付けは、導体路とポリマ基板との間の安定的な結合という観点で特に好ましい。
【００３８】
導体路の少なくとも一区分はポリマ基板に埋め込まれている。導体路はその全長に沿って、ポリマ基板内に埋め込むことができる。このことは、ポリマ基板と導体路との間の安定的な結合という観点で特に好ましい。
【００３９】
本発明の特に好適な構成では、導体路の、コンタクトレールに電気的にコンタクトするために設けられた領域は、ポリマ基板内に埋め込まれない。この場合、コンタクトレールの領域における導体路とポリマ基板との間には付加的なバスバーを配置することができる。
【００４０】
しかしながら導体路を別の方法でポリマ基板に取り付けることもできる。原則的に導体路は、コンタクトレールにコンタクトするために設けられた部分領域がポリマ基板の表面から突出しているならば、当業者に公知のあらゆる方法でポリマ基板に取り付けることができる。導体路の取り付け方法とは関係なく本発明によればコンタクトレールによって電気的コンタクトを使用することができることは、先行技術と比較して本発明の大きな利点である。導体路は、例えば独国特許出願公開第３５０６０１１号明細書に記載されているように、ポリマ基板の加熱後にポリマ基板の表面に押し付けられても良い。導体路をポリマ支持フィルムに塗布することができ、このフィルムは次いでポリマ基板に接着される。この場合、導体路が支持フィルムとポリマ基板との間に埋め込まれる場合には、支持フィルムを基板に接着した後、コンタクトのためにアクセス可能であるように、導体路の少なくとも１つの端部を支持フィルムの縁部を越えて突出させなければならない。
【００４１】
導体路は、少なくとも１種の金属、好適には、タングステン及び／又は銅及び／又はニッケル及び／又はマンガン及び／又はアルミニウム及び／又は銀及び／又はクロム及び／又は鉄及び／又はこれらの混合物及び／又はこれらの合金を含有している。導体路は特に好適にはタングステン及び／又は銅を含む。これにより特に良好な結果が得られる。
【００４２】
好適な構成では、本発明によるパネルは加熱可能なパネルである。この場合、導体路は、本発明による２つのコンタクトレールに導電接続されている。好適には少なくとも２つの、典型的にはより多くの導体路が両コンタクトレールに接続されている。両コンタクトレール間に電位差を与えると、各導体路を通って電流が流れる。これにより導体路は加熱され、従って、ポリマパネルのアクティブな加熱が可能になる。
【００４３】
２つのコンタクトレールにより好適には導体路の安定した電気的コンタクトが得られる。各導体路は両コンタクトレールに電気的に接続されていて、他の導体路とは独立的に電圧が供給される。従って好適には１つの導体路の損傷が、パネルのアクティブな加熱機構の全体的な故障に到ることはない。
【００４４】
導体路の厚さは、好適には１０〜３００μｍの、特に好適には２５〜１５０μｍである。この厚さは、ポリマパネルの透明性、加熱出力、短絡の防止という観点で特に好適である。
【００４５】
導体路は好適には両コンタクトレールの間でまっすぐに延在している。しかしながら導体路は、例えば波状、メアンダ状、又はジグザグパターンの形で、両コンタクトレールの間に延在していても良い。互いに隣接する２つの導体路の間の間隔は好適には、導体路の全長にわたって一定である。しかしながら、互いに隣接する２つの導体路の間の間隔は、両コンタクトレールの間の延在において変化しても良い。
【００４６】
導体路は任意の方向に延在していて良く、好適には水平又は垂直に延在する。
【００４７】
互いに隣接する２つの導体路の間の間隔は、好適には５〜３０ｍｍ、特に好適には６〜２０ｍｍである。この数値は、ポリマパネルの透明性、及び導体路を介してもたらされる加熱出力の分配という観点で特に好適である。導体路の長さは様々に変更可能であり、特に個別のケースの必要に応じて容易に適合させることができる。導体路は例えば５〜１５０ｃｍの長さを有している。
【００４８】
隣接している導体路は、一方のコンタクトレールの、他方のコンタクトレールとは離反した側で互いに接続することができる。従って導体路は、個別の加熱ワイヤとしてポリマ基板に取り付けることができ、この場合、加熱ワイヤは取り付け後に２つの又はそれ以上の区分を有しており、これらの区分は導体路として設けられループ状に互いに接続されている。加熱ワイヤの導体路として設けられた各区分は、一方の端部領域で第１のコンタクトレールに接続され、他方の端部領域で第２のコンタクトレールに接続されている。コンタクトレールの領域における加熱ワイヤの各区分とコンタクトレールの間の各区分とは１つの導体路を形成している。
【００４９】
選択的に、互いに隣接している導体路は、一方のコンタクトレールの、他方のコンタクトレールとは離反する側で互いに接続されていなくても良い。従って導体路は複数の加熱ワイヤとしてポリマ基板に設けられ、この場合、各加熱ワイヤは、一方の端部領域で第１のコンタクトレールに接続され、他方の端部領域で第２のコンタクトレールに接続される。各加熱ワイヤは、コンタクトレールの領域と、コンタクトレールの間の領域とで導体路を有している。
【００５０】
２つよりも多くのコンタクトレールをポリマ基板に配置することもできる。これにより例えば、互いに独立的な複数の加熱フィールドを形成することができる。例えば、第１の加熱フィールドを形成する導体路の一部分を、第１及び第２のコンタクトレールに接続し、第２の加熱フィールドを形成する導体路の別の部分を第３及び第４のコンタクトレールに接続することができる。互いに独立的な２つの加熱フィールドは、例えば、全ての導体路が１つの第１のコンタクトレールに接続されていることにより形成することもできる。第１の加熱フィールドを形成する導体路の一部分を付加的に第２のコンタクトレールに接続し、第２の加熱フィールドを形成する導体路の別の部分を付加的に第３のコンタクトレールに接続することができる。勿論、互いに独立的な２つよりも多い加熱フィールドを本発明により形成することもできる。
【００５１】
ポリマ基板は好適には扁平であるか、又は僅かに又は多分に、空間の１つの方向又は複数の方向に曲げられている。
【００５２】
ポリマ基板は好適には少なくとも所定の領域で透明である。ポリマ基板は、無色、又は着色されたもの、濃淡を有するものであって良い。ポリマ基板は、クリアなもの、又はくもったものであって良い。
【００５３】
ポリマ基板は好適には、少なくともポリエチレン（ＰＥ）、ポリカーボネート（ＰＣ）、ポリプロピレン（ＰＰ）、ポリスチレン、ポリブタジエン、ポリニトリル、ポリエステル、ポリウレタン、ポリメチルメタクリレート、ポリアクリレート、ポリエステル、ポリアミド、ポリエチレンテレフタレート（ＰＥＴ）、アクリロニトリルブタジエンスチレン（ＡＢＳ）、スチレンアクリロニトリル（ＳＡＮ）、アクリレートスチレンアクリロニトリル（ＡＳＡ）、アクリロニトリルブタジエンスチレンポリカーボネート（ＡＢＳ/ＰＣ）及び／又はこれらのコポリマ又は混合物を含有している。
【００５４】
ポリマ基板は特に好適には、ポリカーボネート（ＰＣ）、ポリエチレンテレフタレート（ＰＥＴ）、及び／又はポリメチルメタクリレート（ＰＭＭＡ）を含んでいる。この材料は、ポリマ基板の透明性、加工、強度、天候耐性、化学的耐性に関して特に好適である。
【００５５】
ポリマ基板は好適には、１〜１０ｍｍの厚さ、特に好適には３〜５ｍｍの厚さを有している。この数値は、ポリマ基板の強度及び加工に関して特に好適である。ポリマ基体のサイズは様々に変更可能であり、本発明による使用に合わせられている。好適にはポリマ基板は、１００ｃｍ2〜３ｍ2の面積、例えば１．５ｍ2の面積を有しており、これは、車両の窓ガラス及び工事分野、建築分野で通常のものである。
【００５６】
美観的な理由から、コンタクトレールによる導体路の電気的コンタクトがポリマ基板を通して見えないことが所望される場合がある。このために例えばポリマ基板をコンタクトレールの領域で着色するか、又は黒くすることができる。ポリマ基板は例えば、多成分射出成形により製造することもでき、この場合、ポリマ基板は、コンタクトレールが配置されるべき領域で、ポリマ基板を透けて電気的コンタクトを見せる視野を隠す不透明な成分を含んでいる。
【００５７】
ポリマ基板の不透明な成分は好適には少なくとも１種の着色剤を含んでいる。この着色剤により成分の不透明性が得られる。着色剤は無機的かつ／又は有機的な染料及び／又は顔料を含んでいて良い。着色剤は、有彩色又は無彩色であって良い。適当な着色剤は当業者には公知であり、例えば、英国染料染色学会（British Society of Dyers and Colourists）及び米国繊維化学技術・染色技術協会（American Association of Textile Chemists and Colorists）によるカラーインデックスを参照することができる。好適には、着色剤として黒色顔料が使用され、例えば、カーボンブラック、アニリンブラック、骨炭、酸化鉄ブラック、スピネルブラック、及び／又はグラファイトが使用される。これにより黒色不透明の成分が得られる。
【００５８】
選択的に、ポリマ基板の表面に、マスキングスクリーン印刷が行われて良い。
【００５９】
本発明の好適な構成では、ポリマ基板の、コンタクトレールとは反対側の表面に、本発明によるパネルを環境的影響から保護するために保護塗膜が設けられている。好適には、ポリシロキサン、ポリアクリレート、ポリメチルメタクリレート、及び／又はポリウレタンを主体とする熱硬化性又はＵＶ硬化性の塗装系が使用される。保護塗膜は、好適には１〜５０μｍの、特に好適には２〜２５μｍの層厚さを有している。保護塗膜によりポリマ基板の掻き傷耐性及び天候耐性が高められることに特別な利点がある。
【００６０】
保護塗膜は、着色性の化合物及び顔料の他に、ＵＶブロッカ、防食剤、掻き傷耐性を高める成分、例えばナノ粒子を含有していて良い。
【００６１】
保護塗膜は、例えば、浸漬法、フラッディング法、スプレー法によってポリマ基板に塗布することができる。保護塗膜は塗布後に、好適には温度及び／又はＵＶ光の照射によって硬化する。
【００６２】
保護塗膜として適した製品は例えば、モメンティブ（Momentive）社によって提供されるＡＳ４０００、ＡＳ４７００、ＰＨＣ５８７、ＵＶＨ３００である。
【００６３】
本発明の課題はさらに、導電性の構造体を備えたポリマパネルを製造する方法により解決され、この場合、少なくとも、
ａ）ポリマ基板であって、該ポリマ基板の表面に、前記ポリマ基板に一体に形成された少なくとも１つの取付けエレメントを備えたポリマ基板を準備し、
ｂ）前記ポリマ基板の表面に少なくとも１つの導体路を設け、
ｃ）該導体路の領域に少なくとも１つのコンタクトレールを、前記取付けエレメントによって前記ポリマ基板の表面にクランプ固定する、ステップを含む。
【００６４】
好適な構成では、導体路を超音波埋設によりポリマ基板の表面に設ける。別の好適な構成では、導体路を設ける前にバスバーを基板の表面に取り付ける、好適には接着する。この場合、バスバーは、コンタクトレールにクランプ固定するために設けられた基板の表面の領域に配置されている。導体路の超音波埋設のための発振器は、バスバーの上方をガイドすることができ、これにより導体路はバスバーの両側でポリマ基板の表面に埋め込まれる。
【００６５】
導電性の構造体を備えたポリマパネルは、好適には陸上交通、航空交通、水上交通のための移動手段のパネル又はパネルの構成部分として使用され、特に自動車及びレール車両のリアウィンドウ及び／又はフロントウィンドウ及び／又はサイドウィンドウ及び／又はルーフウィンドウ及び／又はライトカバー及び／又はスポイラとして用いられる。導電性の構造体を備えたポリマパネルは、機能的かつ／又は装飾的な個別部品においても、又は家具及び器具へのはめ込み部品としても使用することができる。ポリマパネルは特に、加熱機能及び／又はアンテナ機能を有したパネルとして使用され、この場合、本発明による１つ又は複数の導体路は、熱導体及び／又はアンテナ導体として使用される。
【００６６】
本発明を図面及び実施例につき詳しく説明する。図面は概略図であって、正確な寸法ではない。図面は本発明を限定するものではない。
【図面の簡単な説明】
【００６７】
【図１】本発明によるパネルの第１の態様を示した平面図である。
【図２】本発明によるパネルの別の態様を示した平面図である。
【図３】図１のパネルのＡ−Ａ´線に沿った断面図である。
【図４】コンタクトレールをクランプ固定する前の状態で示した図１のパネルのＡ−Ａ´線に沿った断面図である。
【図５】本発明によるパネルの別の態様をＡ−Ａ´線に沿って断面した図である。
【図６】図１のパネルのＢ−Ｂ´線に沿った断面図である。
【図７】本発明によるパネルの別の態様をＢ−Ｂ´線に沿って断面した図である。
【図８】図２のパネルのＣ−Ｃ´線に沿った断面図である。
【図９】本発明によるパネルの別の態様をＣ−Ｃ´線に沿って断面した図である。
【図１０】本発明による導電性の構造体を備えたポリマパネルを製造する方法を詳しく示したフローチャートである。
【００６８】
図１及び図３及び図６には、導電性の構造体を備えた本発明によるポリマパネル（Ｉ）の詳細がそれぞれ示されている。ポリマパネル（Ｉ）は加熱可能なパネルとして設けられている。ポリマパネル（Ｉ）はポリマ基板１を有している。ポリマ基板１はポリカーボネート（ＰＣ）を含んでおり、４ｍｍの厚さを有している。ポリマ基板１の表面１２には８つの導体路２が配置されている。これらの導体路２は互いに平行かつ水平に配置されている。導体路２はタングステンを含み、７０μｍの太さを有している。隣接する２つの導体路２の間の間隔は１５ｍｍである。導体路２は超音波埋設により、その全長にわたってポリマ基板１内に埋め込まれており、埋め込み深さは約４０μｍである。ポリマパネル（Ｉ）はさらに、２つのコンタクトレール３を有している。各導体路２の第１の端部領域は第１のコンタクトレール３に、各導体路２の第２の端部領域は第２のコンタクトレール３に電気的に接続されている。この場合、導体路２の端部領域は、ポリマ基板１とコンタクトレール３との間に配置されている。これらの導体路２は唯１つの加熱ワイヤの複数の区分であり、この加熱ワイヤはまっすぐな区分でポリマ基板１上に取り付けられていて、これらのまっすぐな区分はループ状に互いに接続されている。従って隣接する導体路２は、加熱ワイヤの１つの領域によって互いに接続されており、この接続は、第２のコンタクトレール３の、第１のコンタクトレール３から離れた側と、第１のコンタクトレール３の、第２のコンタクトレール３から離れた側とで交互に行われる。
【００６９】
コンタクトレール３は特殊鋼を含む。ポリマ基板１の表面１２にクランプ結合するために設けられた各コンタクトレール３の領域は、幅１５ｍｍ、長さ８０ｍｍの長方形の底面を有している。コンタクトレール３の厚さは１．５ｍｍである。
【００７０】
ポリマパネル（Ｉ）はさらに、ポリマ基板１に一体成形された別の取付けエレメント４を有している。取付けエレメント４はフックとして構成されている。各コンタクトレール３を取り囲むように６つの取付けエレメント４が配置されている。取付けエレメント４によって各コンタクトレール３は持続的に安定して、ポリマ基板１の表面１２にクランプ固定されている。これによりコンタクトレール３は導体路２に向かって押し付けられ、これによりコンタクトレール３と導体路２との間の持続的に安定した電気的接続が形成される。クランプ固定されたコンタクトレール３により導体路２の簡単な電気的コンタクトが得られ、この場合、はんだ付けや溶接といった手間のかかる付加的な作業工程は不要であり、例えば導電的な接着剤による接続よりも著しく安定的な接続が得られる。
【００７１】
各コンタクトレール３は、外部電源（図示せず）に接続するために設けられている接続領域５を有している。接続領域５は、他方のコンタクトレール３とは離反側の、ポリマ基板１の表面１２にクランプ固定するために設けられた長方形領域の縦縁部に設けられており、コンタクトレール３の側方に配置されている。接続領域５は規格化されたフラット差込コネクタとして形成されており、該コネクタには、電源に通じる接続ケーブル（図示せず）のカップリングを差し込むことができる。従ってコンタクトレール３は好適には、外部の電源に対するインターフェースを提供するので、例えばコンタクトレール３を電気的な接続エレメントにはんだ付けするといった別の作業工程は必要ない。
【００７２】
両コンタクトレール３間に電位差を与えると、各導体路２を通って電流が流れる。この場合に生じる熱が、ポリマパネル（Ｉ）のアクティブな加熱を可能にする。個々の導体路２が互いに独立的に電気的に接触していることにより、１つの導体路２の損傷が好適には、ポリマパネルの加熱装置の全体的な故障には到らない。
【００７３】
図２及び図８には、本発明によるポリマパネル（Ｉ）の選択的な構成がそれぞれ詳しく示されている。ポリマ基板１の表面１２には６つの加熱ワイヤが導体路２として配置されている。導体路２は、電気的なコンタクトの領域でポリマ基板１に埋め込まれていない。各コンタクトレール３と導体路２との間には付加的なバスバー６が配置されている。各コンタクトレール３の領域では、基板１の表面１２と導体路２との間に別のバスバー６が配置されている。このバスバー６は銅を含み、１００μｍの厚さを有している。このバスバー６は錫メッキされている。バスバー６の長さと幅は、コンタクトレール３の長さと幅に相応している。バスバー６により、導体路２の電気的コンタクトはさらに改善される。基板１の表面と導体路２との間のバスバー６は、両面接着テープ９によって基板１上に固定されている。
【００７４】
各コンタクトレール３は、３つの取付けエレメント４によって、ポリマ基板１の表面１２にクランプ固定されている。取付けエレメント４はピンとして構成されている。取付けエレメント４は基板１の表面１２に対して平行な直径５ｍｍの円形の横断面を有している。コンタクトレール３とバスバー６とは、取付けエレメント４を貫通させてガイドする円形の孔を有している。取付けエレメント４にはそれぞれ、コンタクトレール３の、基板１とは反対の側で位置固定部材８が被せられている。位置固定部材８は例えば、スターロック（Ｓｔａｒｌｏｃｋ（Ｒ））固定リング（round shaft, item number 8153）であって、この固定リングは被せ嵌め後は取付けエレメント４から外すことはできない。取付けエレメント４と位置固定部材８とによって各コンタクトレール３が持続的に安定して、基板１の表面１２にクランプ固定されている。これによりコンタクトレール３は導体路２に向かって押し付けられ、これによりコンタクトレール３と導体路２との間の持続的に安定した電気的接続が形成される。
【００７５】
各コンタクトレール３の接続領域５は、ポリマ基板１の表面１２にクランプ固定するために設けられた長方形領域の横縁部に設けられている。
【００７６】
図３には、図１に示した本発明によるポリマパネル（Ｉ）のＡ−Ａ´線に沿った断面が示されている。この図にはポリマ基板１、該ポリマ基板１に埋め込まれた複数の導体路２、１つのコンタクトレール３、前記基板１に一体的に成形された取付けエレメント４、外部の電源に接続するために設けられているコンタクトレール３の領域５が示されている。
【００７７】
図４には、コンタクトレール３を基板１にクランプ固定する前の図３に示したポリマパネル（Ｉ）が示されている。コンタクトレール３は、その長さに沿って曲げられているので、コンタクトレール３の端部は基板から離れる方向に向けられている。これによりコンタクトレール３は予荷重を付与されていて、この予荷重はコンタクトレール３が本発明により弾性を有していることによりクランプ固定後に維持され、この予荷重によりコンタクトレール３の押付け力は高められ、電気的なコンタクトの安定性は好適には向上される。
【００７８】
クランプ固定するためにコンタクトレール３は取付けエレメント４の間で基板１の表面１２に押しつけられる。これにより取付けエレメント４は一時的にコンタクトレール３から離れるように湾曲する。
【００７９】
図５には、図１及び図３の実施例の発展形として、本発明によるポリマパネル（Ｉ）の選択的な構成が示されている。導体路２は、電気的なコンタクトの領域でポリマ基板１に埋め込まれていない。各コンタクトレール３の領域には、基板１の表面１２と導体路２との間にバスバー６が配置されている。バスバー６により、導体路２の電気的コンタクトはさらに改善される。バスバー６は、両面接着テープ９によって基板１上に固定されている。
【００８０】
フック状の取付けエレメント４の第１の部分領域は、基板１の表面１２に対してほぼ垂直に配置されている。この第１の端部領域には第２の部分領域が続いており、第２の部分領域は、コンタクトレール３の方向で延在しており、コンタクトレール３の、基板１とは反対の面に配置されている。取付けエレメント４のこれら両部分領域は図示した実施例では互いに約３０度の角度を成して配置されている。これにより、第２の部分領域の柔軟性が得られ、これによりコンタクトレール３の取り付けは好適には容易になる。
【００８１】
コンタクトレール３には、層の厚さ１０μｍである銀含有のコーティング１０が設けられている。これによりコンタクトレール３の電流負荷容量及び耐食性は好ましくは向上する。
【００８２】
ポリマ基板１の、コンタクトレール３とは反対側の表面上には保護塗膜１１が設けられている。保護塗膜１１は、ポリシロキサンを主体とする熱硬化性の塗料を含み、１５μｍの層厚さを有する。保護塗膜１１により、ポリマ基板１は好適には、天候及び機械的作用のような環境的影響から保護される。
【００８３】
図６には、図１に示した本発明によるポリマパネル（Ｉ）のＢ−Ｂ´線に沿った断面が示されている。この図にはポリマ基板１、該ポリマ基板１に埋め込まれた１つの導体路２、複数のコンタクトレール３、前記基板１に一体的に成形された取付けエレメント４、外部の電源に接続するために設けられているコンタクトレール３の領域５が示されている。
【００８４】
図７には、図１及び図６の実施例の発展形として、本発明によるポリマパネル（Ｉ）の選択的な構成が示されている。各コンタクトレール３の接続領域５はこの実施例では、コンタクトレール３の上方に配置されている。各コンタクトレール３には所定のプロフィールがエンボス加工されている。コンタクトレール３の、基板１に面した表面にはこれにより２つの隆起部が設けられており、これらの隆起部の横断面は、円形区分のプロフィールを有しており、コンタクトレール３の長さに沿って延在している。導体路２は、各隆起部の領域を介してコンタクトレール３に接触している。これにより、クランプ固定されるコンタクトレール３によって導体路２に加えられる圧力は高くなり、電気的コンタクトの安定性は好適には向上する。
【００８５】
図８には、図２に示した本発明によるポリマパネル（Ｉ）のＣ−Ｃ´線に沿った断面が示されている。この図には、ポリマ基板１、導体路２、外部電源に接続するために設けられた領域５を有するコンタクトレール３、バスバー６、基板１に一体成形された取付けエレメント４、位置固定部材８が示されている。
【００８６】
図９には、図２及び図８の実施例の発展形として、本発明によるポリマパネル（Ｉ）の選択的な構成が示されている。コンタクトレール３の領域に配置された２つのバスバー６は、はんだコンパウンド７によって互いに結合されている。はんだコンパウンド７は、５７重量％のビスマス、４２重量％のスズ、１重量％の銀を含有する。タングステンを含有する導体路２自体がはんだ付け不可能であっても、導体路２ははんだコンパウンド７内に埋め込まれる。これにより好適には、改善された安定的な電気的コンタクトが得られる。
【００８７】
図１０には、導電性の構造体を備えたポリマパネル（Ｉ）を製造する本発明による方法の実施形態のフローチャートが示されている。
【００８８】
導電性の構造体を備えた本発明によるポリマパネル（Ｉ）のテストサンプルが製造された。ポリマ基板１を取付けエレメント４と共に射出成形により製造した。この際に、図１及び図２の取付けエレメント４を使用した。次いで、超音波埋設により導体路２を基板１の表面１２に埋め込んだ。２つのコンタクトレール３を取付けエレメント４によって基板１の表面１２にクランプ固定し、この際に導体路２に接触させた。コンタクトレール３間に電位差を与えることにより、ポリマパネル（Ｉ）のアクティブな加熱を可能にした。
【００８９】
ポリマ基板１に一体的に形成された取付けエレメント４により、コンタクトレール３を簡単にポリマ基板１にクランプ固定させることができた。基板１とコンタクトレール３との間の結合は持続的に安定していた。これにより、コンタクトレール３と導体路２との間の持続的に安定した電気的接続も得られた。本発明によりコンタクトされた導体路２により、ポリマパネルから結露や氷を短時間で除去することができた。コンタクトレール３による各導体路２の電気的接触により、個々の導体路２を故意に損傷させた場合でも、加熱作用の完全な欠落には到らなかった。
【００９０】
安定的かつ取り付けが簡単な導体路２の電気的コンタクトが簡単に得られることは当業者にとって予期せぬ驚くべきことであった。
【符号の説明】
【００９１】
（Ｉ）  導電性の構造体を備えたポリマパネル
１  ポリマ基板
２  導体路
３  コンタクトレール
４  取付けエレメント
５  コンタクトレール３の接続領域
６  バスバー
７  はんだコンパウンド
８  位置固定部材
９  両面接着テープ
１０  コンタクトレール３のコーティング
１１  基板１の保護塗膜
１２  基板１の表面
Ａ−Ａ´  切断線
Ｂ−Ｂ´  切断線
Ｃ−Ｃ´  切断線
【図１】
0006355682.tif 000002
【図２】
0006355682.tif 000003
【図３】
0006355682.tif 000004
【図４】
0006355682.tif 000005
【図５】
0006355682.tif 000006
【図６】
0006355682.tif 000007
【図７】
0006355682.tif 000008
【図８】
0006355682.tif 000009
【図９】
0006355682.tif 000010
【図１０】
0006355682.tif 000011